(57)【特許請求の範囲】
【請求項１】
リール本体の側板間に設けられ、釣糸が巻回されるスプールと、
前記スプールを回転操作するハンドルと、
前記ハンドルの軸上に回転可能に設けられたドラグ機構と、
前記スプールの軸のハンドル側の端部に当接し、押圧を調節するキャップ状に形成された調節部材を備え、前記キャップ状の調節部材の回転によりスプールの回転に制動力を付与するキャストコントロール機構と、を有し、
前記リール本体のハンドル側の側板には、前記調節部材の筒状側壁の径方向外方を覆うガード部材が配設されていることを特徴とする魚釣用両軸受型リール。
【請求項２】
前記調節部材は、周縁部に凹凸が形成された天面を有することを特徴とする請求項１に記載の魚釣用両軸受型リール。
【請求項３】
前記ガード部材は、前記調節部材との対向面に周方向に亘って形成された凹溝を有しており、
前記凹溝と前記調節部材の間には、Ｏリングが配設されていることを特徴とする請求項１又は２に記載の魚釣用両軸受型リール。
【発明の詳細な説明】
【技術分野】
【０００１】
本発明は、リール本体に回転可能に支持されたハンドルの回転でリール本体の側板間に支持されたスプールを回転駆動し、釣糸をスプールに巻回する魚釣用両軸受型リールに関する。
【背景技術】
【０００２】
魚釣用両軸受型リールには、スプールの回転を実釣条件に応じて調節するために、スプール軸の回転を制動するキャストコントロール機構（制動機構）を備えたものが数多く存在する。初心者は仕掛け投擲時のノントラブルを目的とし、スプールに強力な制動力を必要とするのに対し、上級者は飛距離を稼ぐことを目的としてスプールの制動力を抑えたり、あるいは仕掛けの重さに応じて制動力を調節したりする。このキャストコントロール機構としては、スプール軸の端部に摩擦プレートを配設し、摩擦プレートへの押圧を調節部材によって調節する仕組みが知られている。
【０００３】
このようなキャストコントロール機構の調節部材は、実釣時における操作性、リールのホールド性等を考慮して容易に操作できることが望ましく、特許文献１に開示されているように、リール本体のハンドル側の側板に配設されているのが一般的である。すなわち、調節部材は摘んで回転操作される部材であるため、反ハンドル側の側板に設置すると、リールのホールド性が低下すると共に、反ハンドル側の側板をホールドした際に触れてしまい誤操作の原因にもなる。
【先行技術文献】
【特許文献】
【０００４】
【特許文献１】特開２００３−３１９７４２号公報
【発明の概要】
【発明が解決しようとする課題】
【０００５】
通常、魚釣用両軸受型リールは、仕掛け投擲後スプールから釣糸が繰り出された際に、釣糸切断を防止するためのドラグ機構を備えており、このドラグ機構の調節部材（スタードラグ）もまた、操作性を考慮して、リール本体のハンドル側の側板に設けられている（特許文献１の図２及び図３）。図に示されたように、スタードラグとキャストコントロール機構は近接配置されているため、スタードラグを回転操作する指が、キャストコントロール機構の調節部材に接触してしまうことがある。また、仕掛け投擲時等に、リールを握持する手の指や付け根部分が、前記キャストコントロール部材の調節部材に接触してしまうことがある。
【０００６】
上記した理由によって、キャストコントロール機構の調節部材に指や手の付け根部分が誤って接触してしまうと、スプールの支持及び回転状態の設定条件等が変更されて誤動作に繋がることがある。また、このような誤動作の発生を恐れて意識するあまり、スタードラグの操作性やリールのホールド性が低下する等の課題がある。
【０００７】
さらに、キャストコントロール機構の調節部材はキャップ状の回転部材であって、その筒状側壁の下部は開口となっているため（特許文献１の図４）、側板支持部との間から異物、塵、液体（海水）等が侵入、付着しやすい課題もある。これにより、前記調節部材の回転性の低下、異物等の侵入による不具合が引き起こされる。
【０００８】
本発明は、上記した事情に着目してなされたものであり、ホールド性を損なうことなくキャストコントロール機構の誤操作を防止し、内部に異物等が侵入し難い調節部材を備えた魚釣用両軸受型リールを提供することにある。
【課題を解決するための手段】
【０００９】
前記課題を解決するために、本発明は、リール本体の側板間に設けられ、釣糸が巻回されるスプールと、前記スプールを回転操作するハンドルと、前記ハンドルの軸上に回転可能に設けられたドラグ機構と、前記スプールの軸のハンドル側の端部に当接し、押圧を調節するキャップ状に形成された調節部材を備え、前記キャップ状の調節部材の回転によりスプールの回転に制動力を付与するキャストコントロール機構と、を有し、前記リール本体のハンドル側の側板には、前記調節部材の筒状側壁の径方向外方を覆うガード部材が配設されていることを特徴とする。
【００１０】
上記した構成では、ハンドル側の側板に、キャストコントロール機構の調節部材と、ドラグ機構の調節部材（スタードラグ）とを設けていることからリール本体のホールド性の向上が図れるとともに、キャストコントロール機構の調節部材の筒状側壁の径方向外方をガード部材で覆ったことから、スタードラグを操作する際に、誤ってキャストコントロール機構の調節部材に触れることが防止され、誤動作することはない。また、ガード部材を設けたことにより、前記調節部材の開口端から異物、埃、液体等が侵入し難くなる。
【発明の効果】
【００１１】
本発明の魚釣用両軸受型リールによれば、ホールド性を損なうことなく、キャストコントロール機構の誤操作を防止可能となる。また、本発明によれば、キャストコントロール機構の調節部材内への異物等の侵入を抑制することができ、不具合の発生を抑制できる。
【図面の簡単な説明】
【００１２】
【図１】本発明に係る魚釣用両軸受型リールの一実施形態を示す平面図。
【図２】図１に示す魚釣用両軸受型リールの部分断面平面図。
【図３】キャストコントロール機構部分を拡大して示す図。
【発明を実施するための形態】
【００１３】
以下、図面を参照しながら、本発明の実施形態について説明する。
図１〜図３は、本発明に係る魚釣用両軸受型リール１の実施形態を示している。
図１および図２に示されるように、本実施形態に係る魚釣用リール１のリール本体１Ａは、左右フレーム２ａ，２ｂと、これら左右フレーム２ａ，２ｂに装着される左右カバー３ａ，３ｂとを備えた左右側板４Ａ，４Ｂを有しており、前記左右フレーム２ａ，２ｂは、公知のように複数の支柱を介して一体化されている。
【００１４】
前記左右側板４Ａ，４Ｂ間には、スプール軸５が軸受６ａ，６ｂを介して回転可能に支持されており、このスプール軸５には、釣糸が巻回されるスプール５ａが一体に取り付けられている。
【００１５】
前記右フレーム２ｂおよび右側板３ｂには軸受８を介してハンドル軸９が回転可能に支持されており、ハンドル軸９の端部にはハンドル９ａが装着されている。この場合、ハンドル９ａを回転操作すると、その操作力は、駆動力伝達機構１０を介してスプール軸５に伝達され、スプール５ａを回転駆動するようになっている。
【００１６】
前記駆動力伝達機構１０は、ハンドル軸９に回転可能に装着される駆動歯車１１と、前記スプール軸５上に軸方向に摺動可能に保持され、駆動歯車１１と噛合するピニオンギア１３とを備えており、ハンドル９ａの回転操作をスプール５ａに伝達する。なお、ピニオンギア１３については、スプール軸５と同軸上で分断された支軸５ｃに保持された構成であるが、公知のようにスプール軸５に摺動可能に支持しても良い。
【００１７】
また、右フレーム２ｂと右側板３ｂとの間には、駆動力伝達機構１０の駆動力の伝達を継脱する公知のクラッチ機構１５と、魚釣時にスプール５ａから釣糸が繰り出された際にスプール５ａにドラグ力を付与する公知のドラグ機構２０とが収容されている。
【００１８】
前記クラッチ機構１５は、ピニオンギア１３に係合しピニオンギア１３を軸方向に摺動させるクラッチプレート１６と、スプール５ａの後方側で左右側板４Ａ，４Ｂ間に配設されたクラッチ操作部材１７とを備えており、クラッチ操作部材１７を押し下げ操作するとクラッチプレート１６を駆動してピニオンギア１３を軸方向に摺動させ、クラッチＯＦＦにする。また、この状態でハンドル９ａを巻き取り操作することで、公知の自動復帰機構（図示せず）を介してクラッチＯＮにする。
【００１９】
前記ドラグ機構２０は、駆動歯車１１に摩擦係合する制動板２１と、制動板２１に対して押圧力を付与する調節部材（スタードラグ）２２を備えている。スタードラグ２２は、ハンドル９ａの近傍に設けられており、回転操作することで前記制動板２１を介して駆動歯車１１のハンドル軸９に対する摩擦力（ドラグ力）を調節する。なお、ハンドル軸９には、逆転防止機構（一方向クラッチ）２３が配設されており、ハンドル軸９（ハンドル９ａ）の釣糸繰出し方向の逆回転を阻止している。
【００２０】
前記スプール５ａの前側には、レベルワインド機構５０が設けられている。このレベルワインド機構５０は、釣糸が挿通される釣糸ガイド５１を備えており、ハンドル９ａを巻き取り操作した際、前記駆動歯車１１に噛合する公知のギアトレインを介して釣糸ガイド５１を左右に往復動させ、回転するスプール５ａに対して釣糸を均一に平行巻きする。
【００２１】
また、本実施形態の魚釣用両軸受型リール１は、スプール軸５の一側である右側板４Ｂ側（ハンドル側の側板）に、スプール軸５の回転に制動力を与えるキャストコントロール機構４０を備えている。キャストコントロール機構をハンドル側の側板に配設することによって、実釣時における操作性、リールのホールド性等を低下させずに、キャストコントロール機構４０を操作することが出来る。
【００２２】
図３に拡大して示されるように、キャストコントロール機構４０は、スプール軸５の端面に当接する支軸５ｃのハンドル側の端部（端面）５ｂに当接する摩擦プレート４１と、この摩擦プレート４１を覆うように配設され、摩擦プレートと一体回転する調節部材４３とを備えている。前記調節部材４３は有底筒状のキャップ状に形成されており、ハンドル側に天面４３ｂが位置するように配設され、筒状側壁４３ａがハンドルと反対側（スプール側）に伸びている。
【００２３】
前記調節部材４３は、前記右カバー３ｂに一体形成された筒状突起３ｄの先端側に螺合結合されており、筒状突起３ｄ内に前記支軸５ｃの右端部側が挿通されている。この筒状突起３ｄの内面には、軸受１４が配設されており、前記ピニオンギア１３を回転かつ摺動可能に支持している。
【００２４】
前記筒状突起３ｄの外周面には、前記調節部材４３の筒状側壁４３ａとの対向面に周方向に亘って凹溝が形成されており、この凹溝にＯリング４７が配置されている。前記Ｏリング４７によって調節部材４３の内側や支軸５ｃの周囲等への異物（塵等）、液体（海水等）の侵入が防止され、前記調節部材４３の回転性の低下、前記摩擦プレート４１、支軸５ｃ等の不具合発生を防止することが可能となる。
【００２５】
前記調節部材４３を摘まんで回転操作すると、前記摩擦プレート４１は、調節部材４３の螺合結合によりスプール側に移動し、それに当接する前記支軸５ｃの端部５ｂを押圧する。この押圧による摩擦力によって、支軸５ｃを介して前記スプール軸５の回転には制動力が付与される。
【００２６】
前記右カバー３ｂには、前記調節部材４３の筒状側壁４３ａの下部（スプール５ａ側の先端側）の径方向外方を、隙間を介して覆うようにガード部材４５が固定されている。前記ガード部材４５は断面Ｌ字状であって、底壁４５ａと環状の側壁４５ｂを有し、底壁４５ａを右カバーの表面に当て付け、留め具４６を圧入することによって右カバー３ｂに固定されている。なお、本実施形態のガード部材４５は、右カバー３ｂと別体で構成されているが、右カバー３ｂと一体形成されていてもよい。また、本実施形態のように別体の場合、右カバーに対する固定方法については適宜変形することが可能である。
【００２７】
前記ガード部材４５の側壁４５ｂは、前記筒状側壁４３ａの先端側の外周を覆うことによって、調節部材４３の側壁４３ａに指や手の付け根部分が誤って接触し、回転操作されることを回避する役割を果たす。すなわち、図１及び図２に示されるように、前記調節部材４３は、前記スタードラグ２２に近接した位置にあるため、スタードラグ２２を回転操作する指が調節部材４３に接触して誤操作しやすい状況にあるが、ガード部材４５によってそのような誤操作を回避している。尚、調節部材４３の筒状側壁４３ａをガード部材４５内に配置することで、調節部材４３が右カバー３ｂ側に近づき、その分、スタードラグ２２から離れるので更に誤操作し難くなる。
【００２８】
本実施形態では、前記ガード部材４５の側壁４５ｂは、周方向に亘って３６０度形成されており、前記筒状側壁４３ａの先端から略中央部までを覆うことで効果を最大限発揮できる形態となっているが、必ずしも３６０度形成されている必要はない。例えば、前記ガード部材４５の側壁４５ｂは、操作部材４３の側壁４３ａにおいて、指や手の付け根が接触しやすい範囲等、一部範囲のみに形成されていても良い。
【００２９】
前記ガード部材４５は、図３に示すように、下端（基端）から上端（先端）までの距離をＬ１、上端（先端）から前記調節部材４３の天面４３ｂの露出面までの距離をＬ２とすると、Ｌ１はＬ２より大きい構成であることが好ましい。すなわち、上述したように、前記ガード部材４５は前記筒状側壁４３ａのスプール５ａ側の外周部（先端から略中央部）を覆うことによって、前記筒状側壁４３ａに対する不測の接触を回避する役割を果たすため、Ｌ１がＬ２以下となると、前記筒状側壁４３ａを覆う範囲が小さすぎて、ガード部材４５を配設した利点が薄れてしまうためである。なお、本実施形態においてはＬ１：Ｌ２＝２：１程度に設定されている。
【００３０】
前記調節部材４３の天面４３ｂには、周縁部に、３６０°に亘って連続する凹凸４３ｃを形成することが望ましい。上記したように、前記筒状側壁４３ａはガード部材４５によって覆われ、調節部材４３における露出部分が減少し、これによって調節部材４３をつまんで回転操作しにくくなってしまう。このため、調節部材４３の天面４３ｂの周縁部に連続的に凹凸４３ｃを形成することによって、回転操作の操作性低下を改善することが出来る。なお、本実施形態では凹凸が形成されているが、調節部材４３をつまんで回転操作しやすくなる形態であれば凹凸形状に限定されない。
【００３１】
前記ガード部材４５には、前記調節部材４３との対向面に周方向に亘って凹溝４５ｃが形成されており、この凹溝４５ｃと前記調節部材４３との間にＯリング４９が配設されている。前記Ｏリング４９によって、ガード部材４５の内側に異物が混入して貯留される問題を防止することができ、また、前記Ｏリング４７に加えて更にＯリング４９が別途配設されることによって、調節部材４３の内側やスプール軸５の周囲等への異物（塵等）、液体（海水等）の侵入を二重のＯリング４７、４９によって、より確実に防げるようになる。
【００３２】
以上のように、上述した魚釣用両軸受型リール１によれば、キャストコントロール機構４０をハンドル側の側板３ｂに配設することによってホールド性を損なわずに済み、ガード部材４５を設けることによって、近接配置された前記スタードラグ２２を回転操作する指等が、キャストコントロール機構４０の操作部材４３に誤って接触することを防止可能となる。また、キャストコントロール機構４０の調節部材４３内への異物等の侵入を抑制することができ、不具合の発生を抑制できる。
【００３３】
以上、本発明の実施形態について説明してきたが、本発明は、上記した実施形態に限定されず、その要旨を逸脱しない範囲で種々変形して実施できる。例えば、ガード部材の形状は、上記した断面Ｌ字状の形状に限定されることはなく、固定方法等に応じて任意に設定できる。また、上述した実施形態では、Ｏリング４７、４９を設置するための凹溝は、それぞれ調節部材４３の側壁４３ａに対向する筒状突起３ｄ、ガード部材４５の側壁４５ｂに形成されているが、調節部材の側壁４３ａに形成されていても良い。
【符号の説明】
【００３４】
１  魚釣用両軸受型リール
１Ａ  リール本体
４Ａ，４Ｂ  左右側板
５  スプール軸
５ａ  スプール
２０  ドラグ機構
４０  キャストコントロール機構
４１  摩擦プレート
４３  調節部材
４３ａ  筒状側壁
４３ｂ  天面
４７、４９  Ｏリング
【図１】
0006402086.tif 000002
【図２】
0006402086.tif 000003
【図３】
0006402086.tif 000004